(57)【要約】【課題】本発明は目視状態、或いは拡大機能を有する簡単な判別装置によって真偽を判別することができる印刷物を提供することを目的とする。【解決手段】表面が３色以上の色で印刷される印刷物であって、前記印刷物の表面には、数字または漢字による印刷物を特定するための固有情報と、前記固有情報を文字、記号、図柄のいずれか又はその組合せに変換して表示された隠し情報が印刷され、前記隠し情報を表示する単位文字、単位記号、単位図柄は光学的に検知可能な単色で印刷されている。【選択図】  図１
2014051030.tif 000002
【特許請求の範囲】
【請求項１】
表面が３色以上の色で印刷される印刷物であって、
前記印刷物の表面には、数字または漢字による印刷物を特定するための固有情報と、前記固有情報を文字、記号、図柄のいずれか又はその組合せに変換して表示された隠し情報が印刷され、前記隠し情報を表示する単位文字、単位記号、単位図柄は光学的に検知可能な単色で印刷されていることを特徴とする印刷物。
【請求項２】
請求項１に記載された印刷物において、
光学的に検知可能な単色は、黄、赤、藍、黒、メタリックカラーのいずれかであることを特徴とする印刷物。
【請求項３】
請求項１または２に記載された印刷物において、
固有情報は、目視困難あるいは複写機で再現されない大きさの情報であることを特徴とする印刷物。
【請求項４】
請求項１〜３何れかに記載された印刷物において、
印刷物には有価証券、チケット、切符、入場券、証明書が含まれることを特徴とする印刷物。
【発明の詳細な説明】
【技術分野】
【０００１】
本発明は、偽造を防止するための隠し情報を有する印刷物に関する。本発明の印刷物とは有価証券、商品券、入場券、チケット等を主な対象としている。
【背景技術】
【０００２】
有価証券は財産権を表象する証券であって、それによって表象される権利の移転または行使が証券の授受によってなされる手形、小切手、株券、社債券、各種証券と定義されている。また、有価証券として上記の他商品券、図書券、交通機関の乗車券、有料施設やイベントの入場券、宝くじ、公営競技の投票券の当たり券などをこれに含めることがある。
近年は、プリンタやスキャナといった電子機器の普及に伴い、有価証券の無許可複製が横行しているが、これはたとえ公の場で使用しない場合であっても違法行為と見なされ、悪質な場合は刑事処罰の対象となる。
【０００３】
近年、前述の有価証券類の偽造とともに、紙幣、身分証明書、チケット、通行券等の偽造による被害が社会問題化しており、偽造技術は巧妙を極める一方であることから、偽造防止を簡易かつ有効に行える技術が待望されている。
従来から、種々の偽造防止又は牽制技術が提案されている。そのなかで、例えば、パール印刷、ホログラム、透かしなどの技術は、材料入手の難しさや製造技術の難しさを伴い、目視でその存在が確認可能で、真偽の判別がし易いために、長年有価証券類の偽造防止技術として採用されてきた。
また、通常の目視状態では判別できないが、装置を使用することによってその存在を確認することができる真偽判別技術として、ブラックライトを使用する蛍光インキによる隠し印刷などが実用されている（例えば、特許文献１参照）。
一方、通常の目視状態で偽造防止技術の存在が判別できない技術の場合、特殊な装置などを用いたり、大掛かりな装置によって真偽を判別する方法があるが、特殊な装置を配備しなければならずコストがかかるという問題と、真贋判別に時間がかかり、その場で判別ができないという問題がある。
【先行技術文献】
【特許文献】
【０００４】
【特許文献１】特開平９−１７５０６７号公報
【発明の概要】
【発明が解決しようとする課題】
【０００５】
例えば、手形、小切手、株券、社債券などの有価証券の場合、換金される場所が金融機関であるために特殊な装置を使用して真贋の鑑定をすることが可能であるが、商品券、図書券などに対しては偽造防止技術としては特別な真贋鑑定装置を使用したり、真贋鑑定のために多くの時間や労力を必要としない技術が求められる。
本発明は上記の問題に鑑みてなされたものであり、目視状態、或いは拡大機能を有する簡単な判別装置によって真偽を判別することができる印刷物を提供することを目的とする。
【課題を解決するための手段】
【０００６】
前記課題の目的を達成するために本発明の印刷物の第一の態様は、表面が３色以上の色で印刷される印刷物であって、前記印刷物の表面には、数字または漢字による印刷物を特定するための固有情報と、前記固有情報を文字、記号、図柄のいずれか又はその組合せに変換して表示された隠し情報が印刷され、前記隠し情報を表示する単位文字、単位記号、単位図柄は光学的に検知可能な単色で印刷されていることを特徴とするものである。
【０００７】
また、第二の態様は、第一の態様において、光学的に検知可能な単色は、黄、赤、藍、黒、メタリックカラーのいずれかであることを特徴とするものである。
【０００８】
また、第三の態様は、第一又は第二の態様において、固有情報は、目視困難あるいは複写機で再現されない大きさの情報であることを特徴とするものである。
【０００９】
また、第四の態様は、第一から第三何れかの態様において、印刷物には有価証券、チケット、切符、入場券、証明書が含まれることを特徴とするものである。
【発明の効果】
【００１０】
本発明によれば、表面が３色以上の色で印刷される印刷物であって、前記印刷物の表面には、数字または漢字による印刷物を特定するための固有情報と、前記固有情報を文字、記号、図柄のいずれか又はその組合せに変換して表示された隠し情報が印刷され、前記隠し情報を表示する単位文字、単位記号、単位図柄は光学的に検知可能な単色で印刷されていることで、通常の目視状態では単なるデザインの一部のように見えて、しかも、印刷物を特定するための固有情報により判別が可能な印刷物を提供することができる。
また、光学的に検知可能な単色は、黄、赤、藍、黒、メタリックカラーのいずれかであることで、写真製版的にコピーされたもの、スキャナでコピーされたものは全ての色が三原色の混色となるために、判別装置で判別した場合はコピーと判別することが可能となる。
【図面の簡単な説明】
【００１１】
【図１】本実施形態の印刷物（商品券）の一例について説明するための図である。
【図２】本実施形態の商品券の隠し情報の一例について説明するための図である。
【図３】本実施形態の商品券の隠し情報の他の一例について説明するための図である。
【発明を実施するための形態】
【００１２】
本発明の印刷物の対象とするところは有価証券（手形、小切手、株券、社債券等各種証券類）、商品券、図書券、交通機関の乗車券、入場券、チケット、証明書その他偽造の対象となるものであるが、以下の説明ではその代表例である商品券の例で説明する。
図１に示す印刷物（以下、商品券という）１の表面には、商品券を特定するための商品券の固有情報（以下、券種情報ともいう）２や、隠し情報３、その他、百貨店名などが３色以上の色で印刷されている。
商品券の中央部には、商品券が一万円券であることを表示する数字による券種情報２が「￥１０、０００」と印刷されている。券種情報２は、漢字で表示している場合もある。
商品券には、商品券の券種情報２の他に、前述のように発行元である「ＡＢＣ百貨店」名が印刷されている。
図示していないが、商品券全体に地紋や背景図柄が印刷されている場合もある。また、図示していないが「ＢＢ０００００」など、この商品券の固有情報である商品券番号が印刷されている。
【００１３】
商品券の表面の一角にはこの商品券の隠し情報３が印刷されている。
隠し情報３は、本実施形態の場合は、商品券の券種情報２を改竄した場合に発見できるように、前述の「１０，０００」を変換情報として印刷表示している。
隠し情報３は、券種情報２を文字や記号、図柄などの繰り返し表示、または、その組合せで表示し、「１０，０００」という情報を変換して表示する。
隠し情報３を構成する「ＡＢＣＡＢＣ・・」の単位文字、例えば「Ａ」は、印刷の三原色である「黄」、「赤」、「藍（青ともいうが、以下の説明では藍という）」の他に、「黒」、「メタリックカラー」などの光学的に検知可能な単色で印刷される。
「メタリックカラー」には、アルミ二ウムの粉末をインキに混ぜ合わせたものや、金属箔を熱転写させたものなどが該当する。
【００１４】
図２を参照して、本実施形態の商品券の隠し情報の一例について説明する。
図１の商品券１の左下には、隠し情報３として「ＡＢＣ百貨店」のロゴである「ＡＢＣ」が繰り返し表示されたパターン情報が印刷されている。
図２ａに示すように、隠し情報３は「ＡＢＣＡＢＣＡＢＣＡＢＣＡＢＣＡＢＣＡＢＣＡＢＣ」が横一段で表示され、図２ｂに示すように、最初の「ＡＢＣＡＢＣ」はスタートコード、次の「ＡＢＣ」は数字の「１」、次の「ＡＢＣＡＢＣＡＢＣＡＢＣ」は数字の「００００」、最後の「ＡＢＣ」はエンドコードとしてそれぞれ「赤」、「藍」、「黒」などの光学的に検知可能な「単色」によって色分けして印刷されている。
【００１５】
印刷による色の再現方法には、一種類のインキによる単色表現と、網点などの掛け合わせによる減色混合表現がある。
減色混合による色再現の場合は、網点の掛け合わせによって再現するために、光学装置で色を判定し難いという問題があり、このような目的で使用されるインキはある波長域で鋭いピークで吸収、または、反射されるものが好ましい。
本実施形態の場合のように印刷色の検知には、フィルターを通過させて反射濃度が最も高くなる部分を検知部分と判定（検知）するために、印刷色には「単色」が使用されることが好ましい。
【００１６】
図１に示す隠し情報３は、図２ｂに示すように、隠し情報３のスタートコード「ＡＢＣＡＢＣ（ＡＢＣの繰り返し二度表現）」が「黒赤藍黒赤藍」で表示され、数字の「１」を示す「ＡＢＣ」は「赤藍黒」で表示され、数字の「０」を示す「ＡＢＣ」は「藍赤黒」で表示される。最後のエンドコード「ＡＢＣ」は、スタートコードの「ＡＢＣ」と同様「黒赤藍」と表示するが、一度しか表示されないためエンドコードであると判定する。
【００１７】
図１に示す隠し情報３を色表現であらわすと、図２ｃのように左端から「黒赤藍黒赤藍赤藍黒藍赤黒藍赤黒藍赤黒藍赤黒黒赤藍」となり、「スタート１００００エンド」と変換することができる。
このように、色の順番の約束事が知らされていない通常の人は、これを読取ることができず、単なるデザインとして認識してしまう。
このために、隠し情報３は可能な限り小さい文字で表現された方が好ましいのであるが、目視でも、真贋の判別が可能なように、目視可能な最小の大きさで表示するのが好ましい。
もちろん、目視困難あるいは複写機で再現されない３０〜３００μｍの大きさのマイクロ文字（単位文字、単位記号、単位図柄も含む）でもよい。
なお、上記マイクロ文字の大きさを３００μｍ以下とすることによって、目視では識別困難であるが、その存在を識別することは可能である。
【００１８】
図３を参照して、本実施形態の商品券の隠し情報の他の一例について説明する。
図３に示す隠し情報の例は、図２で説明した文字の例ではなく、図柄の一例で表現した例である。
図でわかるように、「星」のマークが繰り返し横直線状に表示されていて、「星」の内側が、「黒」、「赤」、「藍」で塗りつぶされて、隠し情報が表示されている。
図２で説明したＡＢＣによる表現と同様、文字Ａ、Ｂ、Ｃが「星」に置き換えられただけのものである。
このように、隠し情報は、文字、記号、図柄のいずれか又はその組合せで表現することができ、有価証券のデザインにマッチし、隠し情報と認識され難い場所、図柄として設定することができる。
以上のように、券種情報が、例えば、「￥１０，０００」であったものを「￥５０，０００」に改竄した場合に、隠し情報を調べることでその有価証券の真贋を判別することが可能となる。
【００１９】
ここで、本実施形態の商品券を光学鑑定装置（光学的に商品券の真贋を判別可能な装置）で真贋鑑定する方法の一例について説明する。
光学鑑定装置に商品券を左端からフィードさせ、隠し情報を一文字（一図柄）ずつ読取って行く。
光学鑑定装置の鑑定部分には、投光部と受光部を設け、受光部には「青フィルター」を取り付けておく。
隠し情報の「黒」部分は、最も反射濃度が低い部分として「黒」と判別し、「赤」部分は次に反射濃度が低い部分として「赤」と判定し、「藍」部分は、最も反射濃度が高い部分として「藍」と判定する。光学鑑定装置は、隠し情報の一文字（記号、図柄）のピッチに合わせて反射濃度の高低を検知する構造になっており、隠し情報がどのように色分けされていたかを検知して、図２、図３で説明した内容に従って有価証券の真贋を鑑定する。
メタリックカラーは、転写と印刷で反射濃度が変わってくるために、目視で判断して判定結果に付加する。
すなわち、シルバーの印刷面、金属箔転写面は一般的に反射濃度が高く、印刷がされていないと判定される場合があるからである。
以上光学鑑定装置についてその一例を説明したが、上記の方法に拘るものではない。
【００２０】
図１を参照して、本実施形態の商品券１に使用される材料の一例について説明する。
商品券１の基材には上質紙、中質紙、アート紙、コート紙、晒しクラフト紙その他、プラスチックフィルムを含む基材が選択的に使用される。
また、隠し情報３に使用する印刷インキとしては、スクリーン印刷、凸版印刷、グラビア印刷、フレキソ印刷、オフセット印刷で使用される市販のインキを使用する。
また、その他の図柄印刷や、文言印刷用のインキとしては、市販のスクリーン印刷、グラビア印刷、フレキソ印刷、オフセット印刷、凸版印刷用インキを使用する。
【産業上の利用可能性】
【００２１】
本発明の印刷物は、目視により真偽判別可能な印刷物に利用できる。
【符号の説明】
【００２２】
１      印刷物（有価証券、商品券）
２      券種情報
３      隠し情報
【図１】
2014051030.tif 000003
【図２】
2014051030.tif 000004
【図３】
2014051030.tif 000005